(57)【要約】【課題】本発明は、水漏れの危険性を少なくする引出し式食器洗い機を提供する。【解決手段】前面が開口した筐体１と、該筐体１から前方に引き出し自在であって上面が開口した洗浄庫２と、前記筐体１内にあって前記洗浄庫２の上面開口３を閉塞する位置とその上方の待避位置との間で移動自在の上蓋５と、前記洗浄庫２の引き出し回数または前記蓋５の開閉回数をカウントするカウント手段と、洗浄運転の条件を入力する入力部９ａと、前記洗浄運転を制御する制御部９０とを備えた食器洗い機において、情報伝達手段を設け、前記カウント手段によりカウントした回数が所定回数を超えた場合、前記情報伝達手段によりサ−ビス点検が必要であることを使用者に伝達することを特徴とする食器洗い機。【選択図】図１９
2004194695.tif 000002
【特許請求の範囲】
【請求項１】
前面が開口した筐体と、該筐体から前方に引き出し自在であって上面が開口した洗浄庫と、前記筐体内にあって前記洗浄庫の上面開口を閉塞する位置とその上方の待避位置との間で移動自在の上蓋と、前記洗浄庫の引き出し回数または前記蓋の開閉回数をカウントするカウント手段と、洗浄運転の条件を入力する入力部と、前記洗浄運転を制御する制御部とを備えた食器洗い機において、情報伝達手段を設け、前記カウント手段によりカウントした回数が所定回数を超えた場合、前記情報伝達手段によりサ−ビス点検が必要であることを使用者に伝達することを特徴とする食器洗い機。
【請求項２】
前面が開口した筐体と、該筐体から前方に引き出し自在であって上面が開口した洗浄庫と、前記洗浄庫の上面開口を閉塞するための上蓋と、該上蓋を前記筐体の内部で上下動自在に保持するべく、該筐体の側壁と前記上蓋との間に左右一対で設けられた上蓋保持手段と、前記洗浄庫の前面に取りつけられた前面板にあって、使用者による手動操作を受けて二つの位置の間で移動する操作手段と、前記洗浄庫の左右の両側壁とそれに対面する前記筐体の左右の両側壁との間隙にそれぞれ配置され、前記操作手段の手動操作による力を前記上蓋保持手段に伝達して前記上蓋を上下動させる左右一対の作動力伝達手段とを備えた食器洗い機において、前記作動力伝達手段を金属製のワイヤ−と樹脂製のシートとで形成したことを特徴とする食器洗い機。
【発明の詳細な説明】
【０００１】
【発明の属する技術分野】
本発明は食器洗い機に関し、更に詳しくは、システムキッチンに組み込むためのビルトインタイプに好適な引き出し式の食器洗い機に関する。
【０００２】
【従来の技術】
従来のシステムキッチンに組み込むためのビルトインタイプの食器洗い機で、食器を収納するための食器籠を内装する洗浄庫が引き出し可能になっている引き出し式ものがある。（例えば、特許文献１参照。）。
（問題点１）
ビルトインタイプの食器洗い機は、長い期間で使用される可能性が大きいため水封に使用している部品の劣化により、「水漏れが生じる危険性」の問題がある。（問題点２）
ビルトインタイプの食器洗い機は、長い期間で使用される可能性が大きいが、水封に使用している部品の材料が機械強度に問題がある。
【０００３】
【特許文献１】
特開２０００−１３９７９９号公報（第２頁、第１図）
【０００４】
【発明が解決しようとする課題】
本発明は、水漏れの危険性を少なくする引出し式食器洗い機を提供する。
【０００５】
本発明は、耐久性を向上する引出し式食器洗い機を提供する。
【０００６】
【課題を解決するための手段、及び効果】
本発明に係る第一の食器洗い機は、前面が開口した筐体と、該筐体から前方に引き出し自在であって上面が開口した洗浄庫と、前記筐体内にあって前記洗浄庫の上面開口を閉塞する位置とその上方の待避位置との間で移動自在の上蓋と、前記洗浄庫の引き出し回数または前記蓋の開閉回数をカウントするカウント手段と、洗浄運転の条件を入力する入力部と、前記洗浄運転を制御する制御部とを備えた食器洗い機において、情報伝達手段を設け、前記カウント手段によりカウントした回数が所定回数を超えた場合、前記情報伝達手段によりサ−ビス点検が必要であることを使用者に伝達することを特徴とする。
【０００７】
従って、情報伝達手段を設け、前記カウント手段によりカウントした回数が所定回数を超えた場合、前記情報伝達手段によりサ−ビス点検が必要であることを使用者に伝達することができるので、使用者は伝達された情報によりサ−ビス点検が必要であることがわかり、運転しないでサ−ビス点検をしてもらう。それにより、劣化している部品を交換してもらい、水漏れの発生を防ぐことができる。
【０００８】
本発明に係る第二の食器洗い機は、前面が開口した筐体と、該筐体から前方に引き出し自在であって上面が開口した洗浄庫と、前記洗浄庫の上面開口を閉塞するための上蓋と、該上蓋を前記筐体の内部で上下動自在に保持するべく、該筐体の側壁と前記上蓋との間に左右一対で設けられた上蓋保持手段と、前記洗浄庫の前面に取りつけられた前面板にあって、使用者による手動操作を受けて二つの位置の間で移動する操作手段と、前記洗浄庫の左右の両側壁とそれに対面する前記筐体の左右の両側壁との間隙にそれぞれ配置され、前記操作手段の手動操作による力を前記上蓋保持手段に伝達して前記上蓋を上下動させる左右一対の作動力伝達手段とを備えた食器洗い機において、前記作動力伝達手段を金属製のワイヤ−と樹脂製のシートとで形成したことを特徴とする。
【０００９】
従って、前記作動力伝達手段を金属製のワイヤ−と樹脂製のシートとで形成しているので、シ−トにより、作動力伝達手段の耐久性を向上させることができる。
することができる。
【００１０】
【発明の実施の形態】
本発明の実施形態の食器洗い機を図面を参照して説明する。図１は第一の発明の食器洗い機の洗浄庫を筐体内に完全に収納した状態での概略縦断面図、図２は第一の発明の食器洗い機の洗浄庫を筐体から引き出す途中の状態での概略縦断面図、図３は第一の発明の食器洗い機の洗浄庫を筐体内に完全収納した状態での上蓋の開閉駆動機構を中心とする要部の側面構成図、図４は第一の発明の食器洗い機の洗浄庫を筐体から引き出す途中の状態での上蓋の開閉駆動機構を中心とする要部の側面構成図、図５は第一の発明の食器洗い機の上蓋の開閉駆動機構を中心とする要部の正面図、図６は第一の発明の食器洗い機の上蓋の開閉駆動機構を構成する操作レバー周辺の要部の上面図、図７は第一の発明の食器洗い機の上蓋の開閉駆動機構を構成する操作レバー周辺の要部の正面図、図８は図３中のＢ部付近の拡大図、図９は図８中のＤ−Ｄ'切断線断面図、図１０は第一の発明の食器洗い機の上蓋が上昇した状態での洗浄庫の上縁部と上蓋との接触箇所の詳細構成を示す縦断面図、図１１は第一の発明の食器洗い機の上蓋が降下した状態での洗浄庫の上縁部と上蓋との接触箇所の詳細構成を示す縦断面図、図１２は第一の発明の食器洗い機の洗浄庫の上面図、図１３は第一の発明の食器洗い機をシステムキッチンに取り付けた状態を示す正面図、図１４は図１のＡ部拡大図、図１５は第一の発明の食器洗い機のラッチ検出スイッチの構成を示す要部の上面図、図１６は第一の発明の食器洗い機のラッチ検出スイッチの構成を示す要部の側面図、図１７は第一の発明の食器洗い機の操作パネルの拡大図、図１８は第一の発明の食器洗い機の制御回路の構成を示すブロック図、図１９は第一の発明の食器洗い機のフロ−チャ−ト、図２０は第二の発明の食器洗い機の図７に相当する図、図２１は第二の発明の食器洗い機の要部平面図、図２２は第二の発明の食器洗い機の要部平面図である。
【００１１】
図１及び図２について説明する。前面が開口した筐体１の内部には上面開口３を有する洗浄庫２が配設され、洗浄庫２の内部には食器類を整列配置するための食器籠４が設置されている。筐体１内の上方空間には、洗浄庫２の上面開口３を閉塞するための上蓋５が、前後一対のリンク６、６'を含む左右一対の平行リンク機構により上下動自在に配置されている。洗浄庫２の前壁２ａには、筐体１の前面開口を閉塞するドアを兼ねた前面パネル７が着脱可能に取り付けられており、前面パネル７と洗浄庫２とは一体に、筐体１の両側壁内側に略水平に架設された案内レール８に沿って前方に引き出し自在となっている。
前面パネル７の上部は庇状に突出した斜面部７ａを有しており、その斜面部７ａには各種の操作キーや表示器を備える操作パネル９が設けられている。操作パネル９には、図１３及び図１７に示すように洗浄運転の条件を入力する入力部９ａと表示部９ｂと電源スイッチ９ｃとスタ−トスイッチ９ｄとが設けられている。前記斜面部７ａの下側は内側に窪んだ把手部１０に形成されており、把手部１０には上記操作手段として左右方向に回動可能な操作レバー１１が設けられている。この操作レバー１１の左右方向の回動動作は、洗浄庫２の前壁２ａと前面パネル７との間で上方に突出した、上記ラッチ手段であるラッチバー１２に連動しており、使用者による操作レバー１１の操作に連動して洗浄庫２の引き出し動作を阻止する（つまりラッチする）又はその阻止を解除することができるようになっている。
【００１２】
後に詳しく述べるが、食器洗い機では、操作レバー１１の操作に連動して上記ラッチバー１２のほか、上蓋５の上下動、つまり洗浄庫２の上面開口３の閉塞・開放動作が行われるように構成されている。すなわち、図１に示すように、洗浄庫２が筐体１内に完全に収納された状態において操作レバー１１をラッチ方向に回動させると、ラッチバー１２が回動して洗浄庫２が引き出せない状態に係止するとともに、上蓋５が降下して洗浄庫２の上面に密着して上面開口３を閉塞する。一方、使用者が操作レバー１１をラッチ解除方向に回動させると、図２に示すように上蓋５が上昇して洗浄庫２の上面開口３に接しない状態となり、またラッチバー１２の係止も解除されるため、洗浄庫２を筐体１内から前方へと自由に引き出すことができるようなる。
【００１３】
洗浄庫２の後方には図示しない給水バルブを備えた伸縮自在の給水ホース１３が接続されており、給水バルブが開かれると外部の水道栓等から供給された水が給水ホース１３を通して洗浄庫２内に注がれる。洗浄庫２の前部底面には大きく窪んだ貯水槽１４が連通して配設されており、洗浄庫２内に注がれた水は貯水槽１４に流れ込んで貯留される。この貯水槽１４の上部には、食器洗浄時に食器から流れ落ちる食物の残滓を捕集するためのメッシュ状のフィルタ１５が着脱自在に設けられている。洗浄庫２の底部中央には、上面に複数の水噴出穴が形成された回転自在のノズルアーム１６が設けられ、洗浄庫２の底面下方には洗浄兼排水ポンプ１７が配置されている。洗浄兼排水ポンプ１７は両回転方向に回転駆動可能なモータを含み、このモータが正転方向に回転するとき洗浄兼排水ポンプ１７は洗浄ポンプとして機能し、逆転方向に回転するとき排水ポンプとして機能する。
【００１４】
図１に示すように洗浄庫２が筐体１内に完全に収納された状態にあって洗浄運転やすすぎ運転時には、給水バルブ９３（図１８）が開放されて、給水ホース１３を通して洗浄庫２内に水が供給される。洗浄庫２内に供給された水は貯水槽１４を含む洗浄庫２の底部に溜まる。この貯留水は洗浄庫２の底部に配設されたヒータ１８により適度に加熱される。この状態で洗浄兼排水ポンプ１７が洗浄ポンプとして駆動されると、貯水槽１４から吸引された温水がノズルアーム１６へと圧送され、水噴出穴から洗浄庫２内に噴射される。この噴射の勢いによりノズルアーム１６は回転する。これにより、食器籠４に収容されている食器類に水が吹き掛かって汚れが落ちる。食器に付着していた食物の残滓はフィルタ１５に捕集され、水は貯水槽１４に流れ込んで再び循環して使用される。
【００１５】
なお、図が煩雑になるため記載を省略しているが、洗浄庫２の前壁２ａと前面パネル７との間には送風ファンなどを含む送風手段と排気手段とが備えられており、乾燥行程時には送風手段により洗浄庫２内に外気が供給されて、その外気はヒータ１８により加熱されて食器に当たり、食器から発する水蒸気を含む空気は排気手段により機外へと排出されるようになっている。
【００１６】
次に、上蓋５の開閉駆動機構について図３〜図９を参照して詳細に説明する。上記平行リンク機構を構成する１個のリンク６（又は６'）は略Ｌ字形状の板状部材であり、そのＬ字形状の短辺部が連接体として機能する。図８、図９に示すように、この短片部の前端部には前後方向に細長い長円形状穴６ａが開口しており、その穴６ａには上蓋５の側面に螺着された円筒軸５ａが脱落しないように挿通され、これにより上蓋５は穴６ａの長さで決まる範囲で前後方向にスライド移動可能となっている。一方、上記短片部の他方の端部、つまりＬ字の中央部は筐体１の側壁１ａ内面に螺着されたネジ６ｂにより回転自在に軸支されている。
【００１７】
また、前後２個のリンク６、６'の長片の端部は略水平に延在する作動板２０の両端部にネジ６ｃ、６ｃ'で回転自在にそれぞれ軸着されており、これらは上記作動力伝達手段に含まれる作動力付与部として機能する。筐体１の側壁１ａ内面にあって上記円筒軸５ａの前方には、この円筒軸５ａの頭部に接触する位置まで突出して位置規制板２８が固着されている。また、図示しないものの、後部側のリンク６'では上記円筒軸５ａに相当する円筒軸の後方に同じように位置規制板２８'が固着されている。すなわち、上蓋５は上述したように前後方向にスライド移動自在であるものの、実際には前後の位置規制板２８、２８'により前後方向への移動が規制されている。これにより、リンク６、６'がネジ６ｂを中心に筐体１に対して回動するとき、上蓋５はほぼ垂直に上下動するようになっている。また、作動板２０は上蓋５と互いに略平行に且つ水平に維持された状態で前後動するようになっている。
【００１８】
後部側のリンク６'の長片部には、第１付勢手段として略水平に架設されたコイルばね２１の一端が接続され、コイルばね２１の他端は筐体１の側壁１ａ内側面に固定されている。このコイルばね２１はリンク６'がネジ６ｂ'を中心に図３で時計回り方向に回転するように付勢しており、そのため上蓋５はネジ６ｂ、６ｂ'を中心に上方に持ち上げられるように付勢されている。
【００１９】
作動板２０の前端部には、第２付勢部材としての小型のコイルばね２２を介挿して、作動力伝達手段の一部である線状部材としてのステンレス製のワイヤ２３を構成するワイヤロープの一端が固定されている。前記ワイヤ２３はチューブの中をワイヤロープが摺動自在に挿通された構成となっており、そのチューブの一端２３ａは作動板２０とワイヤロープとの接続箇所よりも後方側の筐体１の側壁１ａ内側面に固定されている。前記ワイヤ２３は該接続箇所から後方に延伸して大きく円弧を描いて下方へと配設され、洗浄庫２の側壁外側面に略水平に形成されたワイヤ案内溝２４に沿って前方へと送られ、更に、前面パネル７と洗浄庫２の前壁２ａとの空隙へと導かれている。なお、図３、図４には現れない、本食器洗い機の反対側面にも同様にステンレスワイヤ２３'が配設されている。
【００２０】
図６、図７に示すように、操作レバー１１は垂直方向に延伸する回動部材２５に固定され、両者は一体に、前面パネル７に固着された取付部材２６に対して軸２５ａを中心に所定範囲で回動自在となっている。回動部材２５と取付部材２６との間にはコイルばね２７が架設されている。このコイルばね２７は操作レバー１１の回動範囲の両端よりも中央部においてより伸長するため、操作レバー１１が回動範囲の略中央にあるときにその両方向に回動するように付勢する。したがって、例えば、ラッチ解除位置にある操作レバー１１をラッチ方向に回動しようとすると、始めはコイルばね２７の付勢力に抗して操作レバー１１を回さなければならないため或る程度の力を必要とするが、操作レバー１１が回動範囲の略中央を通過すると、コイルばね２７の付勢力はその回動を助けるように作用するため大きな力を加えることなく操作レバー１１はラッチ位置まで移動する。
【００２１】
図５、図７に示すように、両ワイヤ２３、２３'のチューブの他端部２３ｂ、２、大きな力を加えることなく操作レバー１１はラッチ位置まで移動する。３ｂ'は取付部材２６に固定されており、各ワイヤロープの端部は回動部材２５に固着されている。したがって、操作レバー１１がラッチ位置にあるときには、操作レバー１１と一体に回動する回動部材２５によりワイヤロープが牽引され、操作レバー１１がラッチ解除位置に戻されるとワイヤロープの牽引は解除される。
【００２２】
上述のように操作レバー１１がラッチ位置まで回動されてワイヤロープが牽引されると、作動板２０はコイルばね２１の圧縮付勢力に抗して後方へと引かれる。回動部材２５は左右のワイヤ２３、２３'の各ワイヤロープをほぼ同一長さだけ同時に牽引するから、左右の作動板２０は同じように後方へと移動し、これにより、上蓋５はほぼ垂直に降下して洗浄庫２の上面開口３を閉塞する。なお、組立工程上や部品のバランスの悪さのために左右両側の平行リンク機構の動作の不均衡によるアンバランスがあった場合でも、ワイヤロープと作動板２０との間に介挿したコイルばね２２の作用によってそのアンバランスは修正される。すなわち、そうしたアンバランスのために上蓋５が左右に傾きながら降下し、左右いずれか一方の側で上蓋５下面が先に洗浄庫２の上縁部に接触した場合、その側面ではコイルばね２２が伸長することによって牽引力が吸収され、他方の側面では牽引力がそのまま作用して上蓋５が降下する。そして、上蓋５全体が洗浄庫２の上面開口３を閉塞した後には、全体にほぼ均一に押圧力が作用するため、上蓋５と洗浄庫２の上縁部との密着箇所では全周に亘って高い水封性を達成することができる。
【００２３】
操作レバー１１がラッチ位置にある状態からラッチ解除の位置まで回動されると、回動部材２５が一体に回動して左右のワイヤ２３、２３'のワイヤロープの牽引が解除される。すると、左右の作動板２０はコイルばね２１の圧縮力によって前方へと移動する。これにより上蓋５はほぼ垂直に上昇し、洗浄庫２の上面開口３を開放する。
【００２４】
操作レバー１１をラッチ解除位置からラッチ位置に回動する時及びラッチ位置からラッチ解除位置に回動する時に、左右のワイヤ２３、２３'は、回動部材２５のコ−ナー部２５ｃで屈曲する。
【００２５】
このように本食器洗い機では、使用者による操作レバー１１の回動操作に応じて洗浄庫２の引き出し阻止又はその解除を行うことができると同時に、上蓋５の閉鎖又は開放を行うことができる。このような上蓋５の開閉駆動動作は、洗浄庫２の側壁外側面と筐体１の側壁１ａ内側面との間に形成された狭い空隙に配設したワイヤ２３、２３'を介して行われるので、筐体１内の空間を大きく占有することがなく、洗浄庫２の容積を大きく確保している。
【００２６】
次に上蓋５と洗浄庫２との接触個所の水封構造について図１０〜図１２により説明する。洗浄庫２の上縁端には、内立壁部２ｃと、これよりも高い外立壁部２ｄとから成る溝が周設されている。この溝の中には水封部材としてのガスケット３１が嵌め込まれている。ガスケット３１は上下二段の中空構造を有しており、上段中空部３１ａは周方向に適宜の箇所に設けた小孔によって外部と連通し、溝に嵌挿しない状態では図１０中に点線で示すように外側に張り出した形状になっている。一方、下段中空部３１ｂは図１２に示すように四隅のコーナ部を挟んで両側に切れ目を有しており、その切れ目から断面略Ｌ字形状の補強金具３２を内側に挿入することができるようになっている。補強金具３２は、周方向に殆ど隙間なく取り付けられるように、洗浄庫２の前辺、後辺に対応した短手の直線状部材３２ｂと、左右の辺に対応した長手の直線状部材３２ｃと、四つのコーナ部をカバーするコーナ形状部材３２ａとから成る。溝の底部と各補強金具３２の適宜の箇所にはネジ穴が穿孔されており、補強金具３２を下段中空部３１ｂに挿入したガスケット３１を溝に嵌挿したならば、溝の底部下方からネジ穴に貫通したネジを補強金具３２のネジ穴に螺合して固定する。
【００２７】
この補強金具３２はガスケット３１を溝に固定するための機能を有するとともに、洗浄庫２の上縁端を補強する機能を有している。すなわち、洗浄庫２の上縁端は左右側壁の中央付近や前後壁の中央付近などで内側に湾曲するように変形し易い。しかしながら、金属製であって高剛性の補強金具３２を差し渡すことによって、こうした変形を防止することができる。
【００２８】
上述したように、ガスケット３１は溝に嵌挿されない状態では上段中空部３１ａが外側に張り出した形状になっている。そのため、ガスケット３１を溝に嵌挿したとき、その張り出し部は収縮する方向に押され、溝の外立壁部２ｄの内周面に緊密に密着する。また、このとき、ガスケット３１の上端は外立壁部２ｄの上端よりも低くなる。更に、ガスケット３１は内周側に段差部３１ｃを有しており、が取り付けられている。但し、この樋部３０は上蓋５の全周に亘って設けられているのではなく、図２に示した位置Ｂよりも後方側にのみ設けられており溝に取り付けるとこの段差部３１ｃは内立壁部２ｃの上縁端の上に載る。上蓋５が降下すると、上蓋５の最外周の突片部５ｂがガスケット３１の上段中空部３１ａを押し潰し、その反発力によって隙間無く密着し、高い水封性を発揮する。
【００２９】
上述のようにガスケット３１の上端は外立壁部２ｄの上端よりも低く、ガスケット３１の上面は外側から内側に向かって下傾し、しかも、ガスケット３１の内周面は内立壁部２ｃの上縁端の上に載っている。そのため、仮にガスケット３１の上に水が落ちた場合でも、水がガスケット３１を伝って洗浄庫２の内部へと流下し、外側へはこぼれ落ちない。
【００３０】
更にまた、上蓋５には、突片部５ｂの内周側に、断面略Ｊ字形状の合成樹脂成型品である樋部３０、位置Ｂで樋部３０は途切れている。位置Ｂは洗浄庫２が最大限引き出された場合でも直下が洗浄庫２の範囲内となるような位置である。
次に、上蓋５と洗浄庫２との接触箇所の水封構造について、図１０〜図１２を参照して説明する。洗浄庫２の上縁端には、内立壁部２ｃと、これよりも高い外立壁部２ｄとから成る溝が周設されている。この溝の中には水封部材としてのガスケット３１が嵌め込まれている。ガスケット３１は上下二段の中空構造を有しており、上段中空部３１ａは周方向に適宜の箇所に設けた小孔によって外部と連通し、溝に嵌挿しない状態では図１０中に点線で示すように外側に張り出した形状になっている。
このような構造は次のような作用がもたらす。
【００３１】
すなわち、上蓋５が閉塞されて洗い運転が開始されると、ノズルアーム１６から噴射された水が上蓋５の下面にも到達する。掛かった水は上蓋５の下面を伝って周囲に流れ樋部３０の中に入る。そして樋部３０に沿って流れ、上記切れ目から洗浄庫２内に流下する。洗い運転中に運転が一時停止されて洗浄庫２が筐体１から引き出されたとしても、上記切れ目の直下は洗浄庫２内であるため、樋部３０を伝った水は必ず洗浄庫２内へと落ち、庫外に水が流下することはなく、筐体１の内部を濡らしてしまったり、更に外側に漏れ出したりすることを防止することができる。
【００３２】
図１４は、図１のＡ部拡大図であるが説明は省略する。
【００３３】
次に図１５、図１６について説明する。ラッチ検出スイッチ６２はスイッ取付け板６０に取付けられている。又、スイッチ取付け板６０の屈曲自在の当接片６０１に板バネ６１が取付けられている。操作レバ−１１が回動するとき当接片６０１はちょうど操作レバ−の垂直部１１１に当接し、これに押されて図１５に示すよう屈曲する。すると板バネ６１がマイクロスイッチ６２、ラッチ検出スイッチ６２の加動片６２２を押圧し、これによって、操作レバ−１１がラッチ位置まで回動されたことをラッチ検出スイッチ６２の導通、非導通により検出することができる。操作レバ−１１がラッチ位置から少し戻されたとき、当接片６０１は操作レバ−１１の下垂片１１２の動きに連動するから大きな屈曲状態から少し復元する。しかしながら板バネ６１は当接片６０１の移動を自らの形状を復元させることによって吸収し、可動片６２２へは伝達しない。つまり、操作レバ−１１がラッチ位置から少し戻された程度ではラッチ検出スイッチ６２の可動子６２１は押された状態が維持され、ラッチ状態が維持されていることを正しく認識することができる。引き出し式の食器洗い機は、水封を行うためステンレス製のワイヤ２３、２３'を駆動して上蓋５をガスケット３１に密着させている。前記ステンレス製のワイヤ２３、２３'の駆動について図６で説明する。食器洗い機で食器を洗浄する時、食器を洗浄庫２内に入れて洗浄庫２を筐体１内に収納して、操作レバ−１１をラッチ位置まで移動する。そして、運転を開始し、運転終了後に前記操作レバ−１１を解除位置まで移動して前記洗浄庫２を引き出す。前記操作レバ−１１のラッチ位置から解除位置までの移動時に、ステンレス製のワイヤ２３、２３'が「屈曲する」部分（破線の部分）がある。図１７は操作パネル９の拡大図であるが説明は省略する。
【００３４】
図１８について説明する。制御部９０はＣＰＵ、ＲＯＭ、ＲＡＭ、タイマなどを含むマイクロコンピュ−タを中心に構成されており、ＲＯＭに格納されている制御プログラムに基づいて、洗い、すすぎ及び乾燥の各行程の運転動作等の各種の制御を実行する。制御部９０には、使用者が運転条件を入力するための操作パネル９に設けている入力部９ａ、及び運転状況等をモニタ−するための表示部９ｂ、上述したように操作レバ−１１の操作に連動してＯＦＦ又はＯＮするラッチ検出スイッチ６２、洗浄庫２内貯留された水の水位に応じて上下するフロ−トによってオン又はオフする正常水位検出スイッチ９５及び異常水位検出スイッチ９４、洗浄庫２内の水又は空気の温度を検出する温度センサ９６等からの信号が入力される。制御部９０に不揮発性記憶手段９２が接続され、不揮発性記憶手段９２からの信号が入力される。前記ラッチ検出スイッチ６２が作動したことを前記制御部９０で検知した時、ラッチ検出スイッチ６２の積算作動回数（ＣＮ）を前記不揮発性記憶手段９２に記憶する。前記ワイヤ２３の駆動回数が、前記ラッチ検出スイッチ６２の作動回数と同じである為、「ラッチ検出スイッチ６２の積算作動回数（ＣＮ）」を前記不揮発性記憶手段９２に記憶させる。上記に説明したように、前記ワイヤ２３は、駆動回数が増えるに伴って劣化し、駆動回数が所定回数に達すると切断する危険性がある。前記ワイヤ２３が切断すると、操作レバ−１１をラッチ位置まで回動しても、上蓋５が洗浄庫２の上縁端に設けているガスケット３１に密着することができないので、洗浄運転を開始した時に洗浄庫２の上縁端より水漏れする。ラッチ検出スイッチ６２の作動回数（洗浄庫２を筐体１より引き出して、筐体１内に収納して、操作レバ−１１をラッチ位置までに回動し、ラッチ検出スイッチ６２がＯＮする回数）は、洗浄庫２を引き出す回数と同じである。従って、洗浄庫２の引き出し回数をカウントするカウント手段は、ラッチ検出スイッチ６２と制御部９０と不揮発性記憶手段９２とで構成される。なお、実施例は示していないが、前記上蓋５の開閉回数（上蓋５が上下動する回数）は、洗浄庫２の引き出し回数と同じであるので、洗浄庫２の引き出し回数をカウントする換わりに前記上蓋５の開閉回数をカウントしても前記ワイヤ２３の駆動回数をカウントできる。前記上蓋５の開閉回数をカウントする手段として、例えば上蓋５の近傍に上蓋５の開閉に連動してＯＮ／ＯＦＦする上蓋スイッチを設けて、このマイクロスイッチの作動を前記制御部９０で検知する。従って、上蓋５の開閉回数をカウントするカウント手段は、上蓋スイッチと制御部９０と不揮発性記憶手段９２とで構成される。ラッチ検出スイッチ６２の作動回数の初期値（ＣＴｓ）（食器洗い機の工場出荷時）はＣＴｓ＝０と予め設定されている。制御部９０では、前記ラッチ検出スイッチ６２の作動所定回数（ＦＮ）が記憶されており、前記積算作動回数と所定回数とを比較するように予めプログラムされている。前記ラッチ検出スイッチ６２の作動所定回数（ＦＮ）とは、食器洗い機の前記ワイヤ２３が、劣化して切断するまでの「設計的に安全を見込んだ使用回数」である。前記「安全を見込んだ使用回数」として、例えば５００００回を設定するものとする。また、制御部９０には負荷駆動部９１が接続されており、前記制御部９０は、上記の各入力信号に基づき、制御プログラム基づいて、前記負荷駆動部９１を介して洗浄兼排水ポンプ１７、給水バルブ９３、ヒ−タ１８等の制御を制御する。また、前記表示部９ｂの制御も行う。
次に図１９の「使用者が食器洗い機を使用する回数（ラッチ検出スイッチ６がＯＮする回数）と、予め決められている食器洗い機の使用所定回数（ラッチ検出スイッチ６２の作動所定回数）との比較」のフロ−チャ−トについて説明する。
まず、操作レバー１１を解除位置まで回動して、食器洗い機の洗浄庫２を筐体１より引き出し、使用した食器類を食器籠４に配置した後に洗浄庫２を前記筐体１内に完全収納し、前記操作レバー１１をラッチ位置まで回動する（ステップＳ１）。そして、定電源スイッチ９ｃを押してＯＮし、運転条件を前記操作パネルに設けた入力部９ａで入力してスタ−トスイッチ９ｄを押すと制御部９０は運転の制御を開始する（ステップＳ２）。同時に、今回使用するまでに不揮発性記憶手段９２に記憶されていたラッチ検出スイッチ６２の積算作動回数（ＣＮ）に今回使用する１回分を積算し不揮発性記憶手段９２に書き込む（ＣＴ＝ＣＮ＋１）（ステップＳ３）。次に、前記制御部９０で、前記ラッチ検出スイッチ６２の作動所定回数（ＦＮ）と前記不揮発性記憶手段９２に書き込み記憶させていたラッチ検出スイッチ６２の作動回数（ＣＴ）とを比較する（ステップＳ４）。ＣＴ≧ＦＮであると前記制御部９０が判定した場合（ステップＳ４でＹＥＳ）、前記制御部９０は前記表示部９ｂに「サ−ビス点検が必要である旨の内容」を表示し、使用者にサ−ビス点検の実施を促す情報を伝達する。ＣＴ≧ＦＮでないと前記制御部９０が判定した場合（ステップＳ４でＮＯ）、前記表示部９ｂにサ−ビス点検の実施に関する情報を表示しない。従って、情報伝達手段は制御部９０と表示部９ｂとで構成される。なお、表示部９ｂで「サ−ビス点検が必要である旨の内容」を表示する換わりに音声で「サ−ビス点検が必要である旨の内容」を使用者に伝達してもよい。
上記に説明したように情報伝達手段を設け、カウント手段によりカウントした回数が所定回数を超えた場合、前記情報伝達手段により食器洗い機のサ−ビス点検が必要であることを使用者に伝達することができるので、使用者は伝達された情報によりサ−ビス点検が必要であることがわかり、運転しないでサ−ビス点検をしてもらう。使用している食器洗い機のサ−ビス点検により、ワイヤ２３が劣化している場合は未使用のワイヤ２３に交換してもらう。この交換により、洗浄庫２の上縁端より水漏れが発生するのを防ぐことができ、使用者は安心して食器洗い機を使用することができる。
【００３５】
次に第二の発明について、第一の発明と異なる図２０〜図２２についてのみ説明する。図２０で、ステンレスのワイヤ１００とポリエステル等の屈曲性及び柔軟性が優れた樹脂製のシ−ト材１０１とが連結金具１０２を介して接続されている。前記シ−ト材１０１は、図６および図７に示されているワイヤ２３と全く同じ状態で取付けている。
【００３６】
次に、図２１及び図２２について説明する。図２１は操作レバ−１１が解除位置にある場合の状態を示し、図２２は操作レバ−１１がラッチ位置にある場合の状態を示している。前記シ−ト材１０１は、操作レバ−１１を解除位置からラッチ位置及びラッチ位置から解除位置に回動する時、回動部材２５のコーナー部２５ｃで屈曲を繰り返す。前記シ−ト材１０１は、屈曲性及び柔軟性が優れた樹脂製（ポリエステル等）であるため、操作レバ−１１を回動して屈曲を繰り返しても劣化しにくいので、実質的にワイヤの交換が不要なレベルまで耐久性を向上することができる。このシ−ト材１０１は、少なくとも回動部材２５のコーナー部２５ｃで屈曲する範囲に使用すればいい。以上の発明により、食器洗い機を長い期間使用しても、品質を長い期間維持できるので、使用者は安心して使用できる。
【図面の簡単な説明】
【図１】第一の発明の食器洗い機の洗浄庫を筐体内に完全に収納した状態での概略縦断面図。
【図２】同食器洗い機の洗浄庫を筐体から引き出す途中の状態での概略縦断面図。
【図３】同食器洗い機の洗浄庫を筐体内に完全収納した状態での上蓋の開閉駆動機構を中心とする要部の側面構成図。
【図４】同食器洗い機の洗浄庫を筐体から引き出す途中の状態での上蓋の開閉駆動機構を中心とする要部の側面構成図。
【図５】同食器洗い機の上蓋の開閉駆動機構を中心とする要部の正面図。
【図６】同食器洗い機の上蓋の開閉駆動機構を構成する操作レバー周辺の要部の上面図。
【図７】同食器洗い機において、上蓋の開閉駆動機構を構成する操作レバー周辺の要部の正面図。
【図８】図３中のＢ部付近の拡大図。
【図９】図８中のＤ−Ｄ'切断線断面図。
【図１０】第一の発明の食器洗い機の上蓋が上昇した状態での洗浄庫の上縁部と上蓋との接触箇所の詳細構成を示す縦断面図。
【図１１】同食器洗い機の上蓋が降下した状態での洗浄庫の上縁部と上蓋との接触箇所の詳細構成を示す縦断面図。
【図１２】同食器洗い機の洗浄庫の上面図。
【図１３】同食器洗い機をシステムキッチンに取り付けた状態を示す正面図。
【図１４】図１のＡ部拡大図。
【図１５】第一の発明の食器洗い機のラッチ検出スイッチの構成を示す要部の上面図。
【図１６】同食器洗い機のラッチ検出スイッチの構成を示す要部の側面図
【図１７】第一の発明の食器洗い機の操作パネルの拡大図。
【図１８】同食器洗い機の制御回路の構成を示すブロック図。
【図１９】同食器洗い機のフロ−チャ−ト図。
【図２０】第二の発明の食器洗い機の図７に相当する図。
【図２１】同食器洗い機の図６に相当する図。
【図２２】同食器洗い機の図６に相当する図。
【符号の説明】
１      筐体
１ａ    側壁
１ｂ    底部
１ｃ    コーナ部
１１１    垂直部
１１２    下垂片
２    洗浄庫
２ａ    前壁
２ｃ    内立壁部
２ｄ    外立壁部
３    上面開口
４    食器籠
４０、４２、４４    軸
４１    上部棚
４３    洗剤容器
４５    椀類収容籠
５    上蓋
５ａ    円筒軸
５ｂ    突片部
６、６'    リンク
６ａ    長円形状穴
６ｂ、６ｃ    ネジ（軸）
７    前面パネル
７ａ    斜面部
８    案内レール
９    操作パネル
１０    把手部
１１    操作レバー
１２    ラッチバー
１４    貯水槽
１５    フィルタ
１５ａ    摘み部
２０    作動板
２１、２２、２７    コイルばね
２３    ワイヤ
２４    ワイヤ案内溝
２５    回動部材
２５ａ    軸
２５ｃ    コーナー部
２６    取付部材
２８、２８'    位置規制板
３０    樋部
３１    ガスケット
３１ａ    上段中空部
３１ｂ    下段中空部
３１ｃ    段差部
３２    補強金具
３２    ａコーナ形状部材
３２ｂ、３２ｃ    直線状部材
３３    当て金
３４    防音ガスケット
３４ａ    突片
５０    結板部材
５１    ワイヤロープ
５２、５３、５５    プーリ
５４    トルクモータ
６０    スイッチ取付け板
６０１    当接片
６２    ラッチ検出スイッチ
６２１、６２２    可動片
【図１】
2004194695.tif 000003
【図２】
2004194695.tif 000004
【図３】
2004194695.tif 000005
【図４】
2004194695.tif 000006
【図５】
2004194695.tif 000007
【図６】
2004194695.tif 000008
【図７】
2004194695.tif 000009
【図８】
2004194695.tif 000010
【図９】
2004194695.tif 000011
【図１０】
2004194695.tif 000012
【図１１】
2004194695.tif 000013
【図１２】
2004194695.tif 000014
【図１３】
2004194695.tif 000015
【図１４】
2004194695.tif 000016
【図１５】
2004194695.tif 000017
【図１６】
2004194695.tif 000018
【図１７】
2004194695.tif 000019
【図１８】
2004194695.tif 000020
【図１９】
2004194695.tif 000021
【図２０】
2004194695.tif 000022
【図２１】
2004194695.tif 000023
【図２２】
2004194695.tif 000024